(57)【特許請求の範囲】
【請求項１】
廃液を収容可能な第一貯留槽および第二貯留槽と、前記第一貯留槽内に収容された廃液中に浸漬された微生物担体と、前記第二貯留槽内の廃液中に浸漬された微細気泡発生器と、前記第一貯留槽内の廃液を前記微細気泡発生器へ送給するポンプと、前記微細気泡発生器へ空気を供給する気体経路と、前記第二貯留槽内の廃液を前記第一貯留槽内へ送り込む送液経路と、を備え、前記第二貯留槽内と連通する前記送液経路の基端側に前記第二貯留槽の底部を貫通して起立した垂直部を設け、前記垂直部の上端開口を廃液導入口とすることにより、前記送液経路の廃液導入口を前記第二貯留槽の底面より高い位置に配置したことを特徴とする廃液処理装置。
【請求項２】
前記微細気泡発生器が、気液が旋回可能な筒状の気液旋回室と、前記気体経路から前記気液旋回室内へ空気を導入するための空気導入口と、前記ポンプから送給される廃液を前記気液旋回室内へ流入させて前記気液旋回室内に気液旋回流を発生させるための液体導入口と、前記気液旋回室内に発生した微細気泡混じりの液体を吐出するため前記気液旋回室の中心軸方向の端部に開設された吐出口と、を備えたものである請求項１記載の廃液処理装置。
【請求項３】
前記第一貯留槽内と連通する前記送液経路の廃液排出口を前記微生物担体の収容領域内に配置した請求項１または２記載の廃液処理装置。
【発明の詳細な説明】
【技術分野】
【０００１】
本発明は、家畜が排泄する糞尿を固液分離処理したときに発生する畜産廃液の浄化処理技術に関する。
【背景技術】
【０００２】
畜産場で飼育されている家畜が排泄する糞尿は、高濃度の肥料成分と有機物を含んでいるため、古くは、農産物などの肥料あるいは土壌改良資材として活用されてきた。しかしながら、近年、畜産場の経営形態は大規模化しており、規模の大きい畜産場からは多量の糞尿が集中的に発生するため、これらの糞尿を固液分離処理すると、大量の畜産廃液が発生する。このような畜産廃液の処理技術に関しては、従来、様々な提案が行われている。
【０００３】
従来の畜産廃液処理技術としては、処理対象である畜産廃液に酸性溶液を添加して有機物を凝集沈殿させて除去した後、アルカリ性溶液を添加してアンモニウムイオンやリン酸イオンなどを沈殿除去するもの（例えば、特許文献１参照）、あるいは、畜産廃液中に気泡を供給し、廃液中の酸素濃度を高めて微生物を活性化させることにより、有機物などを分解させるもの（例えば、特許文献２，３参照。）などがある。
【０００４】
【特許文献１】特開２００３−３３４５６７号公報
【特許文献２】特開２００２−３０１４９３号公報
【特許文献３】特開平１０−４３７９７号公報
【発明の開示】
【発明が解決しようとする課題】
【０００５】
特許文献１に記載の「排水処理方法および排水処理装置」の場合、酸溶液タンク、アルカリ溶液タンクに加え、少なくとも２つの沈殿タンクを必要とするため、配管などを含めた処理設備全体が複雑化、大型化しがちであり、敷地に余裕のない畜産場などは簡単に採用できないことがある。また、廃液処理量が増加すると、それに伴って酸性溶液およびアルカリ性溶液の使用量も増加するので、大規模畜産場などにおいては、大量の酸性溶液およびアルカリ性溶液を消費することとなる。さらに、沈殿タンクから回収される、薬剤混じりの沈殿物の処分にも別の手間がかかる。
【０００６】
特許文献２に記載の「汚水処理法」および特許文献３に記載の「畜産糞尿の曝気・撹拌装置」の場合、畜産廃液中に送り込まれる気泡によって廃液全体が撹拌されるため、廃液中に存在する固形成分が粉砕され、固形成分の浮上が２〜３日連続し、処理時間の遅延を生ずることがある。
【０００７】
本発明が解決しようとする課題は、複雑な設備や薬剤の添加を必要とせず、浄化処理時間の短縮を図ることのできる廃液処理技術を提供することにある。
【課題を解決するための手段】
【０００８】
本発明の廃液処理装置は、廃液を収容可能な第一貯留槽および第二貯留槽と、前記第一貯留槽内の廃液中に浸漬された微生物担体と、前記第二貯留槽内の廃液中に浸漬された微細気泡発生器と、前記第一貯留槽内内の廃液を前記微細気泡発生器へ送給するポンプと、前記微細気泡発生器へ空気を供給する気体経路と、前記第二貯留槽内の廃液を前記第一貯留槽内へ送り込む送液経路と、を備え、前記第二貯留槽内と連通する前記送液経路の基端側に前記第二貯留槽の底部を貫通して起立した垂直部を設け、前記垂直部の上端開口を廃液導入口とすることにより、前記送液経路の廃液導入口を前記第二貯留槽の底面より高い位置に配置したことを特徴とする。
【０００９】
このような構成において、第一貯留槽内の廃液をポンプで吸引して、第二貯留槽内の廃液中に浸漬された微細気泡発生器へ送給するとともに、気体経路を経由して微細気泡発生器へ空気を供給すると、微細気泡発生器から第二貯留槽内の廃液中へ微細気泡混じりの廃液が供給されるため、第二貯留槽内の廃液の溶存酸素量が増加する。第二貯留槽内で溶存酸素量が増加した廃液は送液経路を経由して第一貯留槽内の廃液中へ送り込まれるため、第一貯留槽内の廃液の溶存酸素量も高まる。これにより、第一貯留槽内の廃液中に浸漬された微生物担体に生息する微生物は充分な酸素を得て活性化され、有機物分解作用が高まるため、廃液中に含まれる有機物が速やかに分解され、廃液を浄化することができる。この工程は、第一貯留槽と第二貯留槽との間で廃液を循環させながら行われるので、第一貯留槽に貯留されている廃液は、時間の経過とともに速やかに浄化される。なお、微生物担体に生息する微生物については、処理対象である廃液中に存在しているものが処理開始とともに自然に住み着いていくので、外部から添加する必要はない。
【００１０】
微生物担体が収容された第一貯留槽と、気体経路を有する微細気泡発生器が収容された第二貯留槽と、ポンプと、送液経路とからなる簡素な構造であるため、複雑な設備を必要としない。また、微生物担体に自然生息している微生物の作用によって廃液中の有機物を分解するため、薬剤の添加を必要としない。有機物などを沈殿除去するための沈殿槽を設ける必要がないので、浄化処理時間の短縮を図ることができる。
【００１１】
ここで、前記微細気泡発生器として、気液が旋回可能な筒状の気液旋回室と、前記気体経路から前記気液旋回室内へ空気を導入するための空気導入口と、前記ポンプから送給される廃液を前記気液旋回室内へ流入させて前記気液旋回室内に気液旋回流を発生させるための液体導入口と、前記気液旋回室内に発生した微細気泡混じりの液体を吐出するため前記気液旋回室の中心軸方向の端部に開設された吐出口と、を備えたものが望ましい。
【００１２】
第一貯留槽に貯留された廃液をポンプで吸引して、第二貯留槽内の廃液中に浸漬された微細気泡発生器の液体導入口へ送給しながら、気体経路を経由して微細気泡発生器の空気導入口へ空気を供給すると、気液旋回室内に気液旋回流が発生するとともに、その中心軸付近に負圧の空洞部分が形成される。この負圧空洞部は渦キャビテーションとも呼ばれ、その先端部において気体は液体に瞬時に溶解し、未溶解の気体は、前記気液旋回流によって引き千切られて大量の微細気泡が発生し、これらの微細気泡が混じった廃液が、吐出口から第二貯留槽内の廃液中へ吐出される。このようにして供給された微細気泡には、第二貯留槽内の廃液中のアンモニアなどの気体が、気液平衡の法則により、濃度の高い液体中から気体中へ移動することとなるため、液体中のアンモニアを捕集した微細気泡となる。
【００１３】
また、本発明の廃液処理装置においては、前記第二貯留槽内と連通する前記送液経路の基端側に前記第二貯留槽の底部を貫通して起立した垂直部を設け、前記垂直部の上端開口を廃液導入口とすることにより、前記送液経路の廃液導入口を前記第二貯留槽の底面より高い位置に配置している。このような構成としたことにより、第一貯留槽からポンプを介して微細気泡発生器へ供給され、第二貯留槽内に貯留される廃液の液面高さは一定に保たれるため、微細気泡発生器の微細気泡供給機能を一定に保つことができる。また、前述した、アンモニアを捕集した微細気泡は廃液導入口を越流落下する際に破泡して内部の気体が液体外へ放出されるため、廃液中のアンモニアなどの気体を除去しながら、第一貯留槽内へ送り込むことが可能となる。
【００１４】
この場合、前記第一貯留槽内と連通する前記送液経路の廃液排出口を前記微生物担体の収容領域内に配置することが望ましい。このような構成とすれば、第二貯留槽内において溶存酸素量が高められた廃液を、微生物担体に近接した領域に送り込むことが可能となるため、微生物担体に生息する有機物分解能を有する微生物に豊富な酸素を供給することができ、有機物分解作用をさらに高めることができる。
【発明の効果】
【００１６】
本発明により、畜産糞尿を固液分離処理したときに発生する畜産廃液を、複雑な設備や薬剤の添加を必要とせず、比較的短時間で浄化処理することができる。
【発明を実施するための最良の形態】
【００１７】
以下、図面に基づいて、本発明の実施の形態である廃液処理装置について説明する。図１は本発明の実施の形態である廃液処理装置を示す垂直断面図、図２は図１に示す廃液処理装置の一部拡大図である。
【００１８】
図１に示すように、本実施形態の廃液処理装置１０は畜産糞尿を固液分離処理したときに発生する畜産廃液を清浄化処理する際に用いる装置であり、廃液Ｌ１，Ｌ２をそれぞれ収容可能な第一貯留槽１および第二貯留槽２と、第一貯留槽１内に収容された廃液Ｌ１中に浸漬された多数の微生物担体３と、第二貯留槽２内に収容された廃液Ｌ２中に浸漬された複数の微細気泡発生器４と、第一貯留槽１内に収容された廃液Ｌ１を吸引して微細気泡発生器４へ送給するポンプ５と、微細気泡発生器４へ空気を供給する気体経路６と、第二貯留槽２内の廃液Ｌ２を第一貯留槽１内へ送り込む略Ｌ字形状の送液経路７と、を備えている。
【００１９】
第二貯留槽２は第一貯留槽１の上縁部の一部に載置され、第一貯留槽１の周壁内面の一部の底部１ｂより高い位置に突設された有底箱体形状の集液部８内にポンプ５が配置されている。ポンプ５は、電源コード５ｂを介して供給される商用電源によって作動する電動式であり、スイッチ５ａによりＯＮ／ＯＦＦすることができ、ポンプ５と微細気泡発生器４との間には、主送液管１１と、切替弁１２と、切替弁１２から分岐した複数の副送液管１３とが配管されている。第一貯留槽１内の底部１ｂ直上には、送液経路７の水平部７ｈが配置され、水平部７ｈの先端部は蓋体７ｃで閉塞され、基端側には起立した垂直部７ｖが形成され、この垂直部７ｖの上端が第二貯留槽２の底部２ｂを貫通して第二貯留槽２内に連通している。
【００２０】
第一貯留槽１内に配置された送液経路７の水平部７ｈの上面側には、複数の貫通孔７ｂが、水平部７ｈの上面全体に均等分布するように開設され、この水平部７ｈを埋設するように微生物担体３が収容されている。本実施形態において、第一貯留槽１内に収容されている微生物担体３は外径１０ｍｍ〜２０ｍｍ程度の単粒度砕石であり、岩石の種類は特に限定しない。これらの微生物担体３は集液部８の下半分が埋没する程度の深さまで収容されている。また、第一貯留槽１内の廃液Ｌ１を排出したり、清掃の際に利用したりするため、第一貯留槽１の周壁１ａの下部に、開閉弁９ａ付きの排液管９が配管されている。
【００２１】
図２に示すように、第二貯留槽２内と連通する送液経路７の垂直部７ｖは、底部２ｂを貫通して立設され、その上端開口を廃液導入口７ａとすることにより、廃液導入口７ａは第二貯留槽２の底部２ｂより高い位置に配置している。第二貯留槽２内に配置された複数の微細気泡発生器４は、底部２ｂと廃液導入口７ａとの間の領域内において、送液経路７の垂直部７ｖを挟んで対称をなすように配置され、第二貯留槽２の底部２ｂに向かって微細気泡ＮＢ混じりの廃液Ｌ２を吐出する姿勢で係止されている。複数の微細気泡発生器４からそれぞれほぼ垂直に立設された気体経路６上端の開口部６ａは、第二貯留槽２の上縁部２ａより高い位置に配置されている。
【００２２】
また、ポンプ５で吸引した第一貯留槽１内の廃液Ｌ１を送給するための主送液管１１は、切替弁１２において、複数の副送液管１３に分岐され、それぞれの副送液管１３が各微細気泡発生器４に接続されている。切替弁１２を切り替えることにより、複数の微細気泡発生器４の全てに廃液Ｌ１を送給したり、いずれかの微細気泡発生器４に選択的に廃液Ｌ１を送給したりすることができる。
【００２３】
次に、図３〜図７を参照し、微細気泡発生器４の構造、機能などについて説明する。図３は図１に示す廃液処理装置を構成する微細気泡発生器を示す斜視図、図４は図３におけるＡ−Ａ線断面図、図５は図３におけるＢ−Ｂ線断面図、図６は図３に示す微細気泡発生器の中心軸方向の断面図、図７は図６に示す微細気泡発生器内において発生する気液旋回流を示す図である。
【００２４】
図３〜図６に示すように、微細気泡発生器４は、気液が旋回可能な略円筒状の気液旋回室１４と、気体経路６から気液旋回室１４内へ空気を導入するために気液旋回室１４の中心軸Ｃ方向の一方の隔壁１４ａに開設された空気導入口１５と、ポンプ５から送給される廃液Ｌ１を気液旋回室１４内へ流入させて気液旋回室１４内に気液旋回流Ｒ（図７参照）を発生させるため気液旋回室１４の周壁１４ｃに形成された液体導入口１６と、気液旋回室１４内に発生した微細気泡ＮＢ混じりの液体を吐出するため気液旋回室１４の中心軸Ｃ方向の他方の隔壁１４ｂに開設された吐出口１７と、を備えている。液体導入口１６は気液旋回室１４の接線方向に形成され、気液旋回室１４内に向かって、その中心軸Ｃとねじれの位置をなす方向に沿って液体を送り込むことができる。
【００２５】
図１に示す状態にセッティングした後、スイッチ５ａをＯＮしてポンプ５を作動させると、第一貯留槽１内に設けられた集液部８内の廃液Ｌ１が吸引され、主送液管１１、切替弁１２および各副送液管１３を経由してそれぞれ微細気泡発生器４へ送給される。微細気泡発生器４へ送給された廃液Ｌ１は液体導入口１６から気液旋回室１４内へ流入し、これによって、図４，図５，図７に示すように、気液旋回室１４内に中心軸Ｃを中心とする気液旋回流Ｒが発生すると同時に、ほぼ中心軸Ｃに沿って筒状の負圧空洞部Ｖが出現する。この負圧空洞部Ｖの一方の端部は気液旋回室１４の空気導入口１５付近に位置するとともに、他端部は気液旋回室１４の吐出口１７付近に位置し、吐出口１７付近においては、負圧空洞部Ｖの端部が括れた状態となる。
【００２６】
気液旋回室１４内に気液旋回流Ｒとともに出現する負圧空洞部Ｖの負圧によって空気導入口１５付近にも負圧が生じるため、この負圧に起因する吸引力により、気体経路６の開口部６ａを経由して大気中の空気が気体経路６へ吸い込まれ、この空気が空気導入口１５気液旋回室１４内の負圧空洞部Ｖ内へ連続的に流入し、気液旋回室１４内へ流入する液体（廃液Ｌ１）とともに気液旋回流Ｒを形成する。
【００２７】
一方、空気導入口１５から負圧空洞部Ｖ内へ流入した空気は、気液旋回室１４内に発生している気液旋回流Ｒに連行されながら吐出口１７から廃液Ｌ１とともに放出されるが、このとき、負圧空洞部Ｖの吐出口１７側の端部において、気液旋回流Ｒによってねじ切られて微細気泡ＮＢとなり、気液旋回流Ｒを形成する廃液Ｌ１に混入し、微細気泡ＮＢ混じりの流体となって吐出口１７から第二貯留槽２内の廃液Ｌ２中へ吐出される。廃液Ｌ２中へ吐出された微細気泡ＮＢ混じりの廃液Ｌ１は、その中を拡散していくが、微細気泡ＮＢによって持ち込まれた空気により、第二貯留槽２内の廃液Ｌ２の溶存酸素量が増加する。
【００２８】
第二貯留槽２内で溶存酸素量が増加した廃液Ｌ２は、送液経路７の上端周縁部を越流して廃液導入口７ａ内へ流れ込み、その垂直部７ｖ内を流下した後、水平部７ｈに到達し、複数の貫通孔７ｂから第一貯留槽１内の廃液Ｌ１中へ送り込まれる。このように、第二貯留槽２内において溶存酸素量が高められた廃液Ｌ２が、第一貯留槽１内の廃液Ｌ１に供給されることにより、第一貯留槽１内の廃液Ｌ１の溶存酸素量も高められる。また、廃液導入口７ａ内へ流れ込み、垂直部７ｖ内を流下する廃液Ｌ２は、流下中に大気と触れることによって大気中の酸素が廃液Ｌ２へ溶け込むため、これによっても溶存酸素が高まる。
【００２９】
第一貯留槽１内の廃液Ｌ１の溶存酸素量が増加することにより、第一貯留槽１内の廃液Ｌ１中に浸漬された微生物担体３に生息する微生物は充分な酸素を得ることができ、これによって活性化され、有機物分解作用が高まるため、廃液Ｌ１中に含まれる有機物が速やかに分解され、廃液Ｌ１を浄化することができる。この工程を継続すると、第一貯留槽１と第二貯留槽２との間を廃液Ｌ１，Ｌ２が循環しながら浄化されていくこととなるため、第一貯留槽１に収容されている廃液Ｌ１は、時間の経過に伴い速やかに浄化される。そして、第一貯留槽１内の廃液Ｌ１が所定レベルまで浄化されたことが確認されたら、スイッチ５ａを操作してポンプ５を止めた後、開閉弁９ａを開いて、排液管９から処理液を排出することができる。
【００３０】
廃液処理装置１０は、微生物担体３が収容された第一貯留槽１と、気体経路６を有する微細気泡発生器４が収容された第二貯留槽２と、ポンプ５と、送液経路７とからなる簡素な構造であるため、複雑な設備を必要としない。また、微生物担体３に生息する微生物の作用によって廃液Ｌ１中の有機物を分解するため、薬剤の添加を必要としない。さらに、有機物などを沈殿除去するための沈殿槽を設ける必要がないので、浄化処理時間の短縮を図ることができる。なお、微生物担体３に生息する、有機物分解機能を有する微生物は、畜産糞尿を固液分離処理したときに発生する畜産廃液（廃液Ｌ１）中に存在するものが、廃液Ｌ１に伴って第一貯留槽１内へ持ち込まれ、そのまま微生物担体３に住み着くため、外部から添加する必要はない。
【００３１】
前述したように、第一貯留槽１に収容された廃液Ｌ１をポンプ５で吸引して、第二貯留槽２内の廃液Ｌ２中に浸漬された微細気泡発生器４の液体導入口１６へ送給しながら、気体経路６を経由して微細気泡発生器４の空気導入口１５へ空気を供給すると、気液旋回室１４内に気液旋回流Ｒが発生するとともに、その中心軸Ｃ付近に負圧空洞部Ｖが形成される。この負圧空洞部Ｖは渦キャビテーションとも呼ばれ、その先端部が気液旋回流Ｒによって引き千切られて大量の微細気泡ＮＢが発生し、これらの微細気泡ＮＢが混じった廃液Ｌ２が、吐出口１７から第二貯留槽２内の廃液Ｌ２中へ吐出される。このようにして供給され続ける微細気泡ＮＢは第二貯留槽２内の廃液Ｌ２中で上昇することなく、長時間に渡って滞留し続けるため、第二貯留槽２内の廃液Ｌ２の溶存酸素量を大幅に高めることができる。
【００３２】
また、廃液処理装置１０においては、図２に示すように、第二貯留槽２内と連通する送液経路７の廃液導入口７ａを第二貯留槽２の底部２ｂより高い位置に配置している。このような構成とすれば、第二貯留槽２内に貯留される廃液Ｌ２の液面高さが一定に保たれるため、微細気泡発生器４の微細気泡供給機能を一定に保つことができる。このため、第二貯留槽２内において溶存酸素量が高められた廃液Ｌ２を安定的に第一貯留槽１内の廃液Ｌ１中へ送り込むことができる。
【００３３】
また、第一貯留槽１内と連通する送液経路７の廃液排出口として、その水平部７ｈの上面に多数の貫通孔７ｂが開設されており、これらの貫通孔７ｂは全て微生物担体３の収容領域内に配置されている。従って、第二貯留槽２内において溶存酸素量が高められた廃液Ｌ２を、微生物担体３に近接した領域に送り込むことが可能であり、微生物担体３に生息する有機物分解能を有する微生物に豊富な酸素を供給することができ、これによって、優れた有機物分解作用を得ることができる。
【００３４】
また、貫通孔７ｂが開設された部分は多数の微生物担体３によって埋設された状態にあるため、貫通孔７ｂから噴き出す廃液Ｌ２によって第一貯留槽１内の廃液Ｌ１が撹拌されたり、波立ったりすることがない。このため、処理作業の開始直後に、第一貯留槽１内の廃液Ｌ１中に比較的多く存在する固形物が、廃液Ｌ１中で舞い上がったり、廃液Ｌ１を濁らせたりすることがない。従って、微生物担体３による有機物分解処理が速やかに進行する。
【００３５】
さらに、図１に示すように、ポンプ５は、第一貯留槽１内に設けられた集液部８内に配置され、第一貯留槽１内に収容された廃液Ｌ１のうち、その液面付近に在って、集液部８の上縁部８ａを越流して集液部８内へ流入した廃液Ｌ１を汲み上げて微細気泡発生器４に向かって送給するようにしている。このような配置とすれば、微生物担体３上部付近に存在する固形物などが廃液Ｌ１とともに集液部８内へ流入するのを防止することができる。このため、比較的清澄な上澄み部分の廃液Ｌ１のみが循環することとなり、処理開始後１日程度で約９０％のＳＳ（懸濁物質）を除去することができる。
【００３６】
一方、図７で示したように、微細気泡発生器４内においては、気液旋回室１４内に出現する負圧空洞部Ｖの一方の端部から空気を導入しながら、他方の端部の延長方向に向かって微細気泡ＮＢを混じりの廃液Ｌ２を吐出する。このため、負圧空洞部Ｖは、気液旋回室１４の中心軸Ｃ付近に安定的に存在し続け、その両端部もそれぞれ空気導入口１５付近、吐出口１７付近に安定的に位置する。従って、負圧空洞部Ｖが気液旋回室１４の内面に接触することがなく、キャビテーション・エロージョンの発生を回避することができる。また、微細気泡発生器４自体も、気液旋回室１４に、空気導入口１５、液体導入口１６および吐出口１７を設けた簡素な構造であるため、取り扱いは容易であり、廃液Ｌ１や空気に伴って流入した異物が詰まり易い狭隘な流路がないので、定期的なメンテナンスも不要である。
【００３７】
また、図６に示すように、気液旋回室１４の隔壁１４ａに開設された空気導入口１５を、気液旋回室１４の中心軸Ｃに沿って内側へ突出させて配置するとともに、気液旋回室１４の内周面１４ｄと空気導入口１５との間に、滑らかに連続した凹曲面１４ｅを設けている。このような形状とすることにより、負圧空洞部Ｖの空気導入口１５側の端部が不規則に移動するのを防止することができるため、負圧空洞部Ｖは中心軸Ｃ付近に安定的に存在し続けることができる。
【００３８】
さらに、図６に示すように、気液旋回室１４の隔壁１４ｂ寄りの領域には、他の領域より内径の大きな予備旋回部１８を設けているため、液体導入口１６から流入する廃液Ｌ１を予備旋回部１８において一旦整流した後、気液旋回室１４全体へ流入させることができる。これにより、液体導入口１６から流入する廃液Ｌ１の圧力変動が緩和されるため、圧力変動に起因する負圧空洞部Ｖの移動を防止することができ、キャビテーション・エロージョンの防止に有効である。
【００３９】
図６，図７に示すように、微細気泡発生器４においては、液体導入口１６の開口面積を吐出口１７の開口面積より大としているため、ポンプ５によって気液旋回室１４内へ送給される廃液Ｌ１の圧力により気液旋回室１４内の圧力が高まり、吐出口１７から吐出される微細気泡ＮＢ混じりの流体（廃液Ｌ１）の吐出速度も高まる。このため、第二貯留槽２内の廃液Ｌ２に対する撹拌作用も得ることができる。また、図２に示すように、複数の微細気泡発生器４は、それぞれの吐出口１７を第二貯留槽２の底部２ｂに向けて配置し、微細気泡ＮＢ混じりの流体を底部２ｂに向けて吐出しているため、これによる撹拌作用も得ることができる。
【００４０】
一方、前述とは逆に、吐出口１７の開口面積を液体導入口１６の開口面積より大とすれば、液体導入口１６を経由して気液旋回室１４内へ入った固形物などは吐出口１７から速やかに排出されるようになるため、気液旋回室１４内の異物貯留を防ぐことができる。また、吐出口１７の開口面積を液体導入口１６の開口面積より大とした場合、気液旋回室１４内に入った異物などの清掃除去も容易となる。
【産業上の利用可能性】
【００４１】
本発明に係る廃液処理技術は、家畜が排泄する糞尿を固液分離処理したときに発生する畜産廃液の浄化処理を行う産業分野において広く利用することができる。
【図面の簡単な説明】
【００４２】
【図１】本発明の実施の形態である廃液処理装置を示す垂直断面図である。
【図２】図１に示す廃液処理装置の一部拡大図である。
【図３】図１に示す廃液処理装置を構成する微細気泡発生器を示す斜視図である。
【図４】図３におけるＡ−Ａ線断面図である。
【図５】図３におけるＢ−Ｂ線断面図である。
【図６】図３に示す微細気泡発生器の中心軸方向の断面図である。
【図７】図６に示す微細気泡発生器内において発生する気液旋回流を示す図である。
【符号の説明】
【００４３】
１  第一貯留槽
１ａ  周壁
１ｂ，２ｂ  底部
２  第二貯留槽
２ａ，８ａ  上縁部
３  微生物担体
４  微細気泡発生器
５  ポンプ
５ａ  スイッチ
５ｂ  電源コード
６  気体経路
６ａ  開口部
７  送液経路
７ａ  廃液導入口
７ｂ  貫通孔
７ｃ  蓋体
７ｈ  水平部
７ｖ  垂直部
８  集液部
９  排液管
９ａ  開閉弁
１０  廃液処理装置
１１  主送液管
１２  切替弁
１３  副送液管
１４  気液旋回室
１４ａ，１４ｂ  隔壁
１４ｃ  周壁
１４ｄ  内周面
１４ｅ  凹曲面
１５  空気導入口
１６  液体導入口
１７  吐出口
１８  予備旋回部
Ｃ  中心軸
Ｌ１，Ｌ２  廃液
ＮＢ  微細気泡
Ｒ  気液旋回流
【図１】
0004773211.tif 000002
【図２】
0004773211.tif 000003
【図３】
0004773211.tif 000004
【図４】
0004773211.tif 000005
【図５】
0004773211.tif 000006
【図６】
0004773211.tif 000007
【図７】
0004773211.tif 000008